(57)【要約】【課題】手のひらに収まるような超小型軽量であり、使い勝手が良い携帯型ナビゲーション装置を提供する。【解決手段】この携帯型ナビゲーション装置は、円形や、たまご型，楕円形などの変形円状をなす表示パネル２を表示パネル形状に類似する基板１上に配置し、基板１の表示パネル２を配した同一面上に配置されるＧＰＳアンテナ部３や回路部は、表示パネル２の外形曲率に類似して表示パネル２の端部から基板１の端部に向けて放射状に延長されて形成される領域に、回路部ごとに配置する。また、基板１の表裏面間は基板１端部に表裏面に対向して設けた接続部をコネクタによって接続する。また、回路部等が配置された基板１等は、表示パネル２の形状に相似する形状の透明窓を有する前面キャビネットと、この前面キャビネットに嵌合する背面キャビネットにて構成したキャビネットに収納する。【選択図】        図２
2004347474.tif 000002
【特許請求の範囲】
【請求項１】
円形をなす表示パネルを該表示パネル形状に類似する基板上に形成し、前記基板の前記表示パネルを配した同一面上にＧＰＳアンテナを配置したことを特徴とする携帯型ナビゲーション装置。
【請求項２】
請求項１に記載の携帯型ナビゲーション装置において、前記基板の前記表示パネルを配した同一面上に太陽電池を配置したことを特徴とする携帯型ナビゲーション装置。
【請求項３】
請求項１または２に記載の携帯型ナビゲーション装置において、前記基板の前記表示パネルを配した面に配置される回路部は、前記表示パネルの外形曲率に類似して前記表示パネルの端部から前記基板の端部に向けて放射状に延長されて形成される領域に、前記回路部ごとに配置されることを特徴とする携帯型ナビゲーション装置。
【請求項４】
請求項１乃至３のいずれかに記載の携帯型ナビゲーション装置において、前記表示パネルは反射型液晶パネルであることを特徴とする携帯型ナビゲーション装置。
【請求項５】
請求項１乃至３のいずれかに記載の携帯型ナビゲーション装置において、前記表示パネルは透過型液晶パネルを用い、前記基板の端面に対向してバックライト装置を設けたことを特徴とする携帯型ナビゲーション装置。
【請求項６】
請求項１乃至５のいずれかに記載の携帯型ナビゲーション装置において、前記基板の表裏面間を接続する接続部は、前記基板端部に表裏面に対向して設けられ、前記基板端部を前記基板端部の形状に沿って狭持するコネクタによって表裏面の前記接続部を接続することを特徴とする携帯型ナビゲーション装置。
【請求項７】
請求項６に記載の携帯型ナビゲーション装置において、前記コネクタはバネ性を有する金属カバーの内側に導電パターンを形成してなることを特徴とする携帯型ナビゲーション装置。
【請求項８】
請求項１乃至７のいずれかに記載の携帯型ナビゲーション装置において、前記表示パネルの形状に相似する形状の透明窓を有する前面キャビネットと、該前面キャビネットに嵌合する背面キャビネットとで構成され、前記回路部が配置された基板を収納するキャビネットを有することを特徴とする携帯型ナビゲーション装置。
【請求項９】
請求項１乃至７のいずれかに記載の携帯型ナビゲーション装置において、前記表示パネルの形状に相似する形状の透明窓を有する前面キャビネットと、該前面キャビネットに嵌合する底面キャビネットとで構成され、前記回路部が配置された基板を収納するキャビネットと、前記底面キャビネットの背面に配置された背面キャビネットとを有し、前記底面キャビネットに形成された係止孔と前記背面キャビネットに設けた回動軸を係合することにより前記背面キャビネットを回動自由に設けたことを特徴とする携帯型ナビゲーション装置。
【請求項１０】
請求項１乃至７のいずれかに記載の携帯型ナビゲーション装置において、前記表示パネルの形状に相似する形状の透明窓を有する前面キャビネットと、該前面キャビネットに嵌合する底面キャビネットとで構成され、前記回路部が配置された基板を収納するキャビネットと、前記底面キャビネットの背面に配置された背面キャビネットを有し、前記底面キャビネットに形成された係止溝と前記背面キャビネットに設けたスライド軸を係合することで前記背面キャビネットをスライド自由に設けたことを特徴とする携帯型ナビゲーション装置。
【発明の詳細な説明】
【０００１】
【発明の属する技術分野】
本発明は、携帯型ナビゲーション装置に関し、特に、全地球測位システム（ＧＰＳ：Ｇｌｏｂａｌ  Ｐｏｓｉｔｉｏｎｉｎｇ  Ｓｙｓｔｅｍｓ）と地域情報を利用した電子方位計および簡易ナビゲータとして利用できる携帯型ナビゲーション装置に関する。
【０００２】
【従来の技術】
ナビゲーション装置には、自動車に搭載されて、目的地と自動車の現在位置とを表示する、所謂、カーナビゲーション装置があるが、このようなカーナビゲーション装置を自動車以外の用途、例えば歩行中にも使用できれば便利である。
歩行中に利用できるようにするためには、携帯用のナビゲーション装置が必要となり、特許文献１や特許文献２等の技術が提案されている。
【０００３】
特許文献１の「電子方位計」の技術は、ＧＰＳを利用した電子方位計であって地磁気を計測し、磁界のベクトル方向を検出する地磁気センサを有し、ＬＣＤ、ＥＬまたはＬＥＤ素子により３６０度を２４分割し、任意の方向を教示する円形表示部を設け、現在位置の位置データをＧＰＳ等により検出し、電源ＯＮ或はスタートＳＷのキーを一回押すだけで現在地に対する、例えば巡礼地のメッカの方位を表示部に自動的に表示するものである。
【０００４】
また、特許文献２の「携帯型ＧＰＳ受信装置、ナビゲーション装置およびナビゲーションシステム」の技術は、腕時計型ＧＰＳ受信装置などのようにユーザが携帯可能であり、データ格納容量が小さい記憶媒体を有する携帯型ＧＰＳ受信装置において、車載型ナビゲーション装置などのように乗り物に搭載して用いられ、データ格納容量が前記記憶媒体よりも大きいナビゲーション装置から、携帯型ＧＰＳ受信装置の現在地周辺の地図情報、目的地情報、観光情報、店の情報、散策の情報、その他のナビゲーション情報のうちいずれかを取得してそのデータを前記記憶媒体に格納するナビゲーション情報取得部を備えている。
この構成から、実際に乗り物で行った場所周辺のナビゲーション情報が携帯型ＧＰＳ受信装置に予め入力されていない場合にも、携帯型ＧＰＳ受信装置を有効に使用できるようにしている。
【０００５】
【特許文献１】
特開２００１−２７２２３４号公報
【特許文献２】
特開２００２−２２４７８号公報
【０００６】
【発明が解決しようとする課題】
上述したように、携帯用の小型軽量のナビゲーション装置として円形表示部を有する電子方位計や腕時計型のナビゲーション装置が提案されているが、携帯機器の使用性向上のためには更なる小型軽量化が必要であり、表示パネルである液晶パネルの高解像度化やガラス基板上への一括実装技術などに伴いさらに高度の実装方法の提案が必要である。
【０００７】
本発明は、上述の実情を考慮してなされたものであって、手のひらに収まるような超小型軽量であり、使い勝手が良い携帯型ナビゲーション装置を提供することを目的とする。
【０００８】
【課題を解決するための手段】
上述の課題を解決するために、本発明を次のように構成する。
本発明の携帯型ナビゲーション装置は、円形や、たまご型，楕円形などの変形円状をなす表示パネルである液晶パネルを該表示パネル形状に類似する基板上に形成し、前記基板の前記表示パネルを配した同一面上に配置されるＧＰＳアンテナや回路部は、前記表示パネルの外形曲率に類似して前記表示パネルの端部から前記基板の端部に向けて放射状に延長されて形成される領域に、前記回路部ごとに配置する。
【０００９】
また、駆動電源として太陽電池を使用する場合には、前記基板に配した表示パネルと同一面上に太陽電池を配置する。
【００１０】
また、前記表示パネルとしては、反射型液晶パネルを用いても、または、前記基板の端面に対向してバックライト装置を設けて透過型液晶パネルを用いるようにしてもよい。
【００１１】
また、前記基板の表裏面間を接続する接続部は、前記基板端部に表裏面に対向して設け、前記基板端部を前記基板端部の形状に沿って狭持するコネクタによって表裏面の前記接続部を接続する。このコネクタは、バネ性を有する金属カバーの内側に導電パターンを形成している。
【００１２】
また、携帯型ナビゲーション装置の前記回路部が配置された基板が収納されるキャビネットは、前記表示パネルの形状に相似する形状の透明窓を有する前面キャビネットと、該前面キャビネットに嵌合する背面キャビネットとで構成する。
また、この構成に、前記底面キャビネットの背面に配置され、入力部やカードホルダ等を前記底面キャビネットに対向して設けてある背面キャビネットを有して、（１）前記底面キャビネットに形成された係止孔と前記背面キャビネットに設けた回動軸を係合することによって、前記背面キャビネットを回動自由に設けたり、また、（２）前記底面キャビネットに形成された係止溝と前記背面キャビネットに設けたスライド軸を係合することによって、前記背面キャビネットをスライド自由に設けるようにしてもよい。
【００１３】
以上の構成により、方位磁石をイメージする丸型の液晶ディスプレイを有し、液晶パネルを形成したガラス基板上にＧＰＳアンテナや太陽電池やそれらの駆動や制御に必要な回路を高密度に実装することによって、携帯型ナビゲーション装置が手のひらに収まるほどの超小型軽量となる。
また、操作ボタン類を回動やスライドが可能の背面キャビネット内に設けることによって、携帯型ナビゲーション装置が使い勝手の良いものとなる。
【００１４】
【発明の実施の形態】
以下、図面を参照して本発明に係る携帯型ナビゲーション装置の好適な実施形態について説明する。
【００１５】
（Ａ）携帯型ナビゲーション装置の構成
図１は、本発明に係る携帯型ナビゲーション装置の機能構成を示すブロック図である。同図において、本実施形態の携帯型ナビゲーション装置は、ＧＰＳ電波をＧＰＳアンテナ部３にて受信し、ＧＰＳレシーバ部４にて現在位置の経度と緯度情報を取得する。また、基準地点の経度と緯度情報と主要な建物やお店や会場などのリストと位置情報などを有する所定の地域情報が記録されたメモリカード７をカードＲ／Ｗ（読出し／書込み）部（カードホルダ）１０に装填する。
【００１６】
カードＲ／Ｗ部１０は、情報読み出しと情報書き込みの両方が可能である。
地図情報処理部２５では、ＧＰＳレシーバ部４からの現在位置情報とメモリカード７内の地図情報とを照合し、地図情報と現在位置情報とを関連付ける処理を行いＣＰＵ２３に送る。
【００１７】
移動情報処理部２４は、計時手段を有し、方位センサ９と速度センサ１１よりユーザの進行方向と歩行距離を算出してＣＰＵ２３に送る。
キャラクタメモリ２１には、警告文字や矢印などの表示文字やキャラクタが記録されている。
メモリ２２には、メモリカード７からの情報やユーザの行動履歴などが記録される。
【００１８】
ＣＰＵ２３からの映像信号と液晶駆動信号は、液晶ドライバ部５に出力され、液晶パネル（表示パネル）２は液晶ドライバ部５にて駆動され映像を表示する。
入力部６には複数の操作ボタンが用意され、入力部６からの情報にて目的地の設定や表示方法の選択などが行われる。
駆動用電源としては、カード電池８ａや太陽電池１２などが使用される。
なお、本実施形態では、円形の液晶パネルを用いるが、液晶パネルの形状はこれに限らず、例えば、たまご型，楕円形などの変形円状をなす液晶パネルであってもよい。
【００１９】
（Ｂ）第１の実施形態
図２乃至図６を参照して、本発明の第１の実施形態を説明する。
図２は表示基板の表面の平面図、図３は表示基板の裏面の平面図、図４は携帯型ナビゲーション装置の側面断面図である。
【００２０】
液晶パネル２は、円形のガラス基板１の表面上の中央に円形状に形成され、液晶パネル２に隣接してＧＰＳアンテナ部３とＧＰＳレシーバ部４と液晶ドライバ部５が同様にガラス基板１の表面上に配置されている。
ＧＰＳアンテナ部３とＧＰＳレシーバ部４と液晶ドライバ部５は、各回路ブロック（回路部）ごとに液晶パネル２端部の外形曲率に類似して液晶パネル２の端部からガラス基板１の端部に向けて放射状に延長されて形成される領域（液晶パネルの形状が円形の場合には、同心円の扇状領域）に高密度で配置されている。
【００２１】
ガラス基板１の裏面には、機能回路１００（地図情報処理部２５、ＣＰＵ２３、移動情報処理部２４、キャラクタメモリ２１、メモリ２２）が配置され、さらに電源オンオフと機能選択を行う機能ＳＷ（スイッチ）６ｂと、目的地の設定や表示切替を行うプッシュ機能も有するトグルボタン６ａと、電池収納部８と、方位センサ９と、カードＲ／Ｗ部１０と、速度センサ１１が搭載されている。
【００２２】
本実施形態において、ガラス基板１上に配置されるＣＰＵ２３、液晶ドライバ部５および液晶パネル２に用いられるＴＦＴ（Ｔｈｉｎ  Ｆｉｌｍ  Ｔｒａｎｓｉｓｔｏｒ）等の回路は、結晶性シリコンで形成する。この結晶性シリコンは、例えば、連続粒界結晶シリコン（ＣＧＳ：Ｃｏｎｔｉｎｕｏｕｓ  Ｇｒａｉｎ  Ｓｉｌｉｃｏｎ、ＣＧシリコン）（例えば、特開平７−１６１６３４号公報や特開２００２−１２４４６８号公報参照）やその他の多結晶シリコンなどの結晶性シリコン技術を用いる。
【００２３】
このような結晶性シリコンを用いれば、これまでの単結晶シリコン上でしか形成できなかった高速・高密度のＬＳＩ（大規模集積回路）等をガラス基板上に直接形成できる。
【００２４】
表示基板を収納するキャビネットは、液晶パネル２に対向して相似形に設けられた円形の光透過スクリーン１３と、光透過スクリーン１３を保持する前面キャビネット１４と、前面キャビネット１４と嵌合する背面キャビネット１５からなり、前面キャビネット１４の側面にカードＲ／Ｗ部１０に対向してカード挿入口１４ａが設けられている。
【００２５】
第１の実施形態の携帯型ナビゲーション装置の使用例を、ユーザが詳細な場所を知らないある町のイベントホールに行く場合を想定して、図５と図６の平面図を用いて説明する。
ユーザは、電車などを乗り継ぎ目的の町へ行く。そして、例えば、駅にあるイベントコーナで、町内の地図情報を記録したメモリカード７を借りる。
ユーザは、借りたメモリカード７を携帯型ナビゲーション装置のカードＲ／Ｗ部１０に装填し、機能ＳＷ６ｂにて電源を入れる。
地図情報処理部２５は、ＧＰＳレシーバ部４からの現在位置情報とカードＲ／Ｗ部１０からの地図情報を処理し、地図上に現在位置情報を重ねてＣＰＵ２３に送る。
ＣＰＵ２３は、キャラクタメモリ２１からマーカーキャラクタと「目的地を設定して下さい」等のメッセージを読み出し、映像信号として液晶パネル２に表示する。
【００２６】
ユーザは、トグルボタン６ａを回し主要な会場名をスクロールさせ、目的の会場名のところでトグルボタン６ａを押込むことで目的地２ｂを設定する。この操作により液晶パネル２には、図５に示すように目的地２ｂがマークされた地図が表示される。
ユーザが目的地２ｂに向かって歩きはじめると、携帯型ナビゲーション装置はＧＰＳアンテナ部３からの情報で現在位置２ｄを逐次更新してゆき、その軌跡２ｃと共に表示する。
また、ＣＰＵ２３は、キャラクタメモリ２１から必要な都度マーカーキャラクタ（例えば、図示しないお店を示すキャラクタなど）を抽出し液晶パネル２上に表示する。
【００２７】
実際は、ＧＰＳの測定精度があるために、人間の歩行に合わせた精度の高い情報を逐次得ることは困難で、方位センサ９と速度センサ１１からの情報を移動情報処理部２４にて処理し、ユーザの移動距離や進行方向の情報を得て液晶パネル２上に表示する方法をとる。尚、所定の移動距離ごとにＧＰＳ情報と照合し表示補正を行うことも可能である。
地図情報表示の状態でトグルボタン６ａを１回押込むと、矢印表示に表示方法の切り換えも可能で、例えば、図６に示すような矢印２ｅが表示される。図６の場合は、現在位置から目的地への方向を表しており、ユーザが移動（携帯型ナビゲーション装置の移動や回転）するたびに矢印方向が動くことになる。
【００２８】
矢印２ｅの表示方法としては、目的地の方向ではなくてユーザの歩く道路の選択や道路上での進行方向を表すことも可能であるが、その場合はメモリカード７に区画の距離や道路の方向や交差点情報などのデータを予め入力しておけばよい。
【００２９】
また、方向の表示としては、次のような種々の設定が可能である。
（１）携帯型ナビゲーション装置の上方を常に「北」方向とする、
（２）携帯型ナビゲーション装置の上方を常に目的地方向とする、
（３）目的地までの軌跡を破線などで表示しておき、携帯型ナビゲーション装置の上方を常に進行方向とする。
【００３０】
さらに、メモリ２２は、液晶パネル２への表示内容を逐次更新記録しており、地図情報をメモリしたのちにメモリカード７を取り外して別のメモリカード７を装填しておけば、例えば、特徴のある途中地点や目的地に到達した時点での軌跡をカードＲ／Ｗ部１０を介して記録することもできる。
【００３１】
（Ｃ）第２の実施形態
図７および図８を参照して本発明の第２の実施形態を説明する。図７および図８において、上述した第１の実施形態と同一の機能を有する部分については同一の符号を付し、その説明を省略する。
図７は表示基板の表面の平面図、図８は表示基板の裏面の平面図である。
液晶パネル２は、円形のガラス基板１の表面上の中央に円形状に形成され、液晶パネル２に隣接してＧＰＳレシーバ部４と液晶ドライバ部５と太陽電池１２が、またＧＰＳレシーバ部４に隣接してＧＰＳアンテナ部３が同様にガラス基板１の表面上に配置されている。
【００３２】
ＧＰＳアンテナ部３とＧＰＳレシーバ部４と液晶ドライバ部５と太陽電池１２は、各回路部ごとに液晶パネル２の端部からガラス基板１の端部に向けて放射状に延長されて形成される領域（液晶パネルの形状が円形の場合には、同心円の扇状領域）に高密度で配置されている。
ガラス基板１の裏面には、機能回路１００（地図情報処理部２５、ＣＰＵ２３、移動情報処理部２４、キャラクタメモリ２１、メモリ２２）が配置され、さらに電源オンオフと機能選択を行う機能ＳＷ６ｂと、目的地の設定や表示切替を行うプッシュ機能も有するトグルボタン６ａと、方位センサ９と、カードＲ／Ｗ部１０と、速度センサ１１が搭載されている。
【００３３】
本実施形態において、ガラス基板１上に配置されるＣＰＵ２３、液晶ドライバ部５、液晶パネル２に用いられるＴＦＴ（Ｔｈｉｎ  Ｆｉｌｍ  Ｔｒａｎｓｉｓｔｏｒ）および太陽電池等の回路は、上述した第１の実施形態と同様に結晶性シリコンで形成する。
また、太陽電池をＣＧシリコンにて製造するには、例えば、特開平９−８２９９７号公報、特開平８−３４０１２７号公報の製造方法等によって製造する。
尚、本実施形態における携帯型ナビゲーション装置の使用方法は、上述した第１の実施形態と同様である。
【００３４】
（Ｄ）第３の実施形態
図９、図１０を参照して、本発明の第３の実施形態を説明する。図９および図１０において、上述した第１または第２の実施形態と同一の機能を有する部分については同一の符号を付し、その説明を省略する。
図９はユーザ設定時に入力部６を引き出した時の携帯型ナビゲーション装置の平面図、図１０は携帯型ナビゲーション装置の側面断面図である。
表示基板を収納するキャビネットは、液晶パネル２に対向して相似形に設けられた円形の光透過スクリーン１３と、光透過スクリーン１３を保持する前面キャビネット１６と、前面キャビネット１６と嵌合する底面キャビネット１７からなり、入力部６とカードＲ／Ｗ部１０を設けた背面キャビネット１８が回動可能に背面に設けられている。前面キャビネット１６と背面キャビネット１８は同一形状の円形をなしている。
【００３５】
背面キャビネット１８には、回動軸１８ａが設けられ、底面キャビネット１７に設けられた回動孔１７ａと係合されてＡの方向（図９参照）に回動し、背面キャビネット１８の出し入れが可能である。
通常使用時は、背面キャビネット１８を収納して使用し、目的地の設定や地図の拡大縮小などの特殊機能を使う場合に背面キャビネット１８を繰出して使用する。
尚、背面キャビネット１８には、入力部６として、電源ＳＷ６ｃと各種機能選択用のメニューＳＷ６ｄと地図上の目的地にカーソル移動させるための十字キー６ｅと機能設定ボタン６ｆが設けられている。
また、本実施形態における携帯型ナビゲーション装置の使用方法は、上述した第１の実施形態と同様である。
【００３６】
（Ｅ）第４の実施形態
図９および図１１を参照して、本発明の第４の実施形態を説明する。図９および図１１において、上述した第１、第２または第３の実施形態と同一の機能を有する部分については同一の符号を付し、その説明を省略する。
図１１は携帯型ナビゲーション装置の側面断面図である。
表示基板を収納するキャビネットは、液晶パネル２に対向して相似形に設けられた円形の光透過スクリーン１３と、光透過スクリーン１３を保持する前面キャビネット１６と、前面キャビネット１６と嵌合する底面キャビネット２６からなり、入力部６とカードＲ／Ｗ部１０を設けた背面キャビネット１９がスライド可能に背面に設けられている。前面キャビネット１６と背面キャビネット１９は同一形状の円形をなしている。
【００３７】
背面キャビネット１９にはスライド軸１９ａが設けられ、底面キャビネット２６に設けられたスライド溝２６ａと係合されてＢの方向（図９参照）にスライドし、背面キャビネット１９の出し入れが可能である。
通常使用時は、背面キャビネット１９を収納して使用し、目的地の設定や地図の拡大縮小などの特殊機能を使う場合に背面キャビネット１９を引き出して使用する。
尚、背面キャビネット１９には入力部６として、電源ＳＷ６ｃと各種機能選択用のメニューＳＷ６ｄと地図上の目的地にカーソル移動させるための十字キー６ｅと機能設定ボタン６ｆが設けられている。
また、本実施形態における携帯型ナビゲーション装置の使用方法は、上述した第１の実施形態と同様である。
【００３８】
（Ｆ）回路接続
図１０および図１１に説明した携帯型ナビゲーション装置の背面キャビネット１８、１９に設けられたボタン類とガラス基板１上の回路との接続は、例えば、回動孔１７ａに隣接して楕円孔を設けて接続ワイヤーを通過させたり、スライド溝２６ａの近辺に接続ワイヤーの通過用の孔を設けることで行われる。
【００３９】
また、上述した各実施形態におけるガラス基板１の表裏面間接続は、ガラス基板１にスルーホールを設けて導電パターンを配設して接続する方法や、ガラス基板１上に配置される各回路の表裏面の接続部を円形のガラス基板１の端部に設け、表裏面間でワイヤボンディング接続する方法などが考えられるが、ショーティングコネクタ（コネクタ）による方法も可能であり、図１２と図１３を用いて説明する。
【００４０】
図１２はショーティングコネクタを表し、図１２（Ａ）は正面図、図１２（Ｂ）は断面図、図１２（Ｃ）は側面図である。
ガラス基板１上に配置される各回路の表裏面の接続部は、円形のガラス基板１の端部に設けられており、３個のショーティングコネクタ３０を円形のガラス基板１の端部に嵌め込むことによって、ガラス基板１の表裏面の接続が行われる。
ショーティングコネクタ３０は、円形のガラス基板１の端部の形状に沿った形状を有しており、バネ性のある金属部３０ａと、その内側には複数の導電パターン３０ｂが配され、円形のガラス基板１の端部に嵌め込むことによって、表裏面に対向して配置される接続部間をショーティングコネクタ３０端部がバネ性で押圧して接続する。
【００４１】
図１３は、ショーティングコネクタ３０を用いた場合を表し、図１３（Ａ）は円形のガラス基板１の表面の平面図、図１３（Ｂ）は携帯型ナビゲーション装置の側面断面図である。
３個のショーティングコネクタ３０が円形のガラス基板１の端部に嵌め込まれ、ガラス基板１の表裏面の接続が行われている。
【００４２】
尚、本実施形態では３個のショーティングコネクタ３０で説明したが、コネクタの長さや個数は、ガラス基板１のサイズや表裏面の接続部の配置やガラス基板１上の搭載部品や作業性などの状況に応じ適宜設定されるものであり、上記説明のみに限定されるものではない。
【００４３】
（Ｇ）液晶パネルの種類
液晶パネルには透過型液晶パネルと反射型液晶パネルとがあり、上述の各実施形態の説明では外光を利用する反射型液晶パネルを用いて説明した。
【００４４】
ここでは、上述した各実施形態の液晶パネルを透過型液晶パネルとした場合の実施形態について説明する。
図１４は、白色ＬＥＤ（Ｌｉｇｈｔ  Ｅｍｉｔｔｉｎｇ  Ｄｉｏｄｅ：発光ダイオード）を用いたバックライトを用いる例を表し、図１４（Ａ）はバックライトの側面図、図１４（Ｂ）は円形のガラス基板１表面の平面図である。
バックライト３１は、ＬＥＤホルダ３１ａと白色ＬＥＤ３１ｂとで構成され、ショーティングコネクタ３０の取付け方法と同様にガラス基板１端部にバネ性を有して嵌め込まれる。
【００４５】
ガラス基板１端部にＬＥＤホルダ３１ａを嵌め込み、図示しない電源配線などの配線接続を行うことで、白色ＬＥＤ３１ｂがガラス基板１端面に対向して配置され、バックライト３１を点灯することで、ガラス基板１端部から入力された白色光がガラス基板１内を伝わり、透過型液晶パネル３２を背面から照明することで、画像を映し出すことになる。
また、白色ＬＥＤ３１ｂ駆動のための配線パターンや接続は、上述したショーティングコネクタ３０と同様にＬＥＤホルダ３１ａ内側に設けることが可能である。
【００４６】
（Ｈ）携帯型ナビゲーション装置の形状
上述の各実施形態では、携帯型ナビゲーション装置形状を円形形状として説明したが、円形の代わりに、たまご型や楕円形状等の円形を変形した形にしても高密度実装による小型軽量の携帯型ナビゲーション装置が可能となる。
【００４７】
尚、本発明は上述した実施形態に限定されることなく、本発明の要旨を逸脱しない範囲内で各種の変形、修正が可能であるのは勿論である。
【００４８】
【発明の効果】
以上説明したように本発明によれば、方位磁石をイメージする丸型の液晶ディスプレイを有し、液晶パネルを形成したガラス基板上にＧＰＳアンテナや太陽電池やそれらの駆動や制御に必要な回路を高密度に実装することによって、携帯型ナビゲーション装置が手のひらに収まるほどの超小型軽量となる。
また、操作ボタン類を回動やスライドが可能の背面キャビネット内に設けることによって、携帯型ナビゲーション装置が使い勝手の良いものとなる。
【図面の簡単な説明】
【図１】本発明に係る携帯型ナビゲーション装置の機能構成を示すブロック図である。
【図２】第１の実施形態における携帯型ナビゲーション装置の表示基板表面の平面図である。
【図３】第１の実施形態における携帯型ナビゲーション装置の表示基板裏面の平面図である。
【図４】第１の実施形態における携帯型ナビゲーション装置の側面断面図である。
【図５】携帯型ナビゲーション装置の使用例の説明図である。
【図６】携帯型ナビゲーション装置の他の使用例の説明図である。
【図７】第２の実施形態における携帯型ナビゲーション装置の表示基板表面の平面図である。
【図８】第２の実施形態における携帯型ナビゲーション装置の表示基板裏面の平面図である。
【図９】背面キャビネットを回動またはスライドして引き出したときの説明図である。
【図１０】第３の実施形態における携帯型ナビゲーション装置の側面断面図である。
【図１１】第４の実施形態における携帯型ナビゲーション装置の側面断面図である。
【図１２】ガラス基板の表裏面に配置された回路等を接続するためのショーティングコネクタの説明図である。
【図１３】ショーティングコネクタを用いて、ガラス基板の表裏に配置された回路等を接続したときの説明図である。
【図１４】白色ＬＥＤとそれを携帯型ナビゲーション装置にはめ込んだときの説明図である。
【符号の説明】
１…ガラス基板、２…液晶パネル（表示パネル）、２ｂ…目的地、２ｃ…軌跡、２ｄ…現在位置、２ｅ…矢印、３…ＧＰＳアンテナ部、４…ＧＰＳレシーバ部、５…液晶ドライバ部、６…入力部、６ａ…トグルボタン、６ｂ…機能ＳＷ、６ｃ…電源ＳＷ、６ｄ…メニューＳＷ、６ｅ…十字キー、６ｆ…機能設定ボタン、７…メモリカード、８…電池収納部、８ａ…カード電池、９…方位センサ、１０…カードＲ／Ｗ部、１１…速度センサ、１２…太陽電池、１３…光透過スクリーン、１４，１６…前面キャビネット、１４ａ…カード挿入口、１５，１８，１９…背面キャビネット、１７，２６…底面キャビネット、１７ａ…回動孔、１８ａ…回動軸、１９ａ…スライド軸、２１…キャラクタメモリ、２２…メモリ、２３…ＣＰＵ、２４…移動情報処理部、２５…地図情報処理部、２６ａ…スライド溝、３０…ショーティングコネクタ（コネクタ）、３０ａ…金属部、３０ｂ…導電パターン、３１…バックライト、３１ａ…ＬＥＤホルダ、３１ｂ…白色ＬＥＤ、３２…透過型液晶パネル、１００…機能回路。
【図１】
2004347474.tif 000003
【図２】
2004347474.tif 000004
【図３】
2004347474.tif 000005
【図４】
2004347474.tif 000006
【図５】
2004347474.tif 000007
【図６】
2004347474.tif 000008
【図７】
2004347474.tif 000009
【図８】
2004347474.tif 000010
【図９】
2004347474.tif 000011
【図１０】
2004347474.tif 000012
【図１１】
2004347474.tif 000013
【図１２】
2004347474.tif 000014
【図１３】
2004347474.tif 000015
【図１４】
2004347474.tif 000016